(57)【要約】【課題】  普通紙、ＯＨＰ等の媒体種別、標準文書、機密文書等の文書属性等に基づいてきめ細かにジャム復旧処理のモードを決定すること。【解決手段】  ＲＯＭ１１は、記録媒体のジャム解除後に於ける復旧モードの決定条件（ジャムリカバリ制御情報１１−１）を格納し、ジャム検出部６は、ジャムを検出し、復旧モード決定部８は、ジャム検出部６がジャムを検出すると、上記復旧モードの決定条件（ジャムリカバリ制御情報１１−１）に基づいて上記復旧モードを決定する。【選択図】        図１
2006208739.tif 000002
【特許請求の範囲】
【請求項１】
記録媒体のジャム解除後に於ける復旧モードの決定条件を格納する記憶部と、
前記ジャムを検出するジャム検出部と、
前記ジャム検出部が前記ジャムを検出すると、前記復旧モードの決定条件に基づいて前記復旧モードを決定する復旧モード決定部と、
前記復旧モード決定部の決定に基づいてジャム解除後に於ける復旧処理を実行するリカバリ実行部とを備えることを特徴とする画像形成装置。
【請求項２】
前記復旧モードの決定条件には、前記記録媒体の種類情報と、印刷データの属性情報と、印刷方法を規定する情報の全て、又は、少なくとも一つを含むことを特徴とする請求項１に記載の画像形成装置。
【請求項３】
前記復旧モードの決定条件を前記記憶部に格納する条件入力部を更に備えることを特徴とする請求項１又は請求項２に記載の画像形成装置。
【請求項４】
前記ジャムの発生位置を表示し、該発生位置に基づく復旧モードの決定を要求する表示部を更に備えることを特徴とする請求項３に記載の画像形成装置。
【発明の詳細な説明】
【技術分野】
【０００１】
本発明は、ジャムリカバリ処理機能を有する画像形成装置に関し、特に、ジャムリカバリ条件の設定が可能な画像形成装置に関するものである。
【背景技術】
【０００２】
印刷中にジャムが発生し、無効になった印刷媒体を除去した後に自動的に印刷をやり直すジャムリカバリ処理機能は、操作者にとって煩わしい作業を排除出来る便利な機能である。しかし、このジャムリカバリ処理機能には、印刷媒体の無駄な消費が伴う。この印刷媒体の無駄を出来る限り少なくするためのジャムリカバリ処理方法が公開されている（特許文献１参照）。
【０００３】
この処理方法では、ジャムが発生したときに、例えば、ジャム発生時からジャムリカバリ時までの間に上記ジャムが発生しなかった場合に進行したであろう状態と同一状態が維持されている片面印刷完の印刷媒体が存在する場合に、この印刷媒体の再利用を図る方法などが公開されている。この処理方法では、ジャムの発生状況を認識し、その発生状況に応じて処理方法が一義的に定められている。
【特許文献１】特開２００４−７７７６０号公報
【発明の開示】
【発明が解決しようとする課題】
【０００４】
解決しようとする問題点は、上記処理方法によれば、ジャムの発生状況によって処理方法が一義的に定まってしまうため、そのとき使用されている媒体の種類、そのときの印刷内容（例えば機密文書）等の条件によって、処理方法を設定することが出来なかった点である。
【課題を解決するための手段】
【０００５】
本発明では、所定の記憶部にジャム解除後に於ける復旧モードの決定条件を格納しておき、ジャムが検出されると、復旧モード決定部が上記復旧モードの決定条件に応じてジャム解除後に於ける復旧モードを決定し、その決定に基づいてジャム解除後の復旧処理が実行されることを最も主要な特徴とする。
【発明の効果】
【０００６】
ジャムが検出されると、予め定められている復旧モードの決定条件に応じてジャム解除後に於ける復旧モードが決定されるので、きめ細かな復旧処理が可能になり、機密保持に役立ち、更に、高価な記録媒体の無駄な消費を抑制出来るという効果を得る。
【発明を実施するための最良の形態】
【０００７】
所定の記憶部にジャム解除後に於ける復旧モードの決定条件を予め格納しておくことのみならず、更に、条件入力部を備え、記憶部に格納されている復旧モードの決定条件を後から、追加、削除、変更出来ることとした。
【実施例１】
【０００８】
図１は、実施例１の画像形成装置の構成ブロック図である。
図に示すように、実施例１の画像形成装置１００は、上位装置ＩＦ部１と、印刷エンジン部２と、エンジンＩＦ部３と、操作パネル４と、パネルＩＦ部５と、ジャム検出部６と、ページデータ生成部７と、復旧モード決定部８と、リカバリ実行部９と、ＲＡＭ１０と、ＲＯＭ１１と、ＣＰＵ１２とを備える。
【０００９】
上位装置ＩＦ部１は、上位装置２０と本実施例による画像形成装置１００の各種機能を制御するコントローラ基板１３とを接続するインタフェース回路である。
印刷エンジン部２は、ページデータを受け入れて所定の記録媒体に印刷して出力する部分である。その概略構成及び動作について以下に説明する。
【００１０】
図２は、印刷エンジン部の概略説明図である。
図中、３１は記録媒体としての用紙であり、３２は用紙３１を収納する用紙カセットであり、３３は最上位から用紙を１枚ずつ給紙するホッピングローラであり、３４は装置内へ記録媒体を給紙する給紙ローラであり、３５は転写ベルトであり、３６は転写ローラであり、３７は転写ベルト３５を回動するベルト駆動ローラである。
【００１１】
３８はＩＤユニット（画像形成部）であり、３９は感光体ドラムであり、４０は現像剤としてのトナーであり、４１は現像ローラであり、４２はトナー供給ローラであり、４３はトナー層厚規制ブレードであり、４４は帯電ローラであり、４５は露光装置としてのＬＥＤアレイであり、４６はクリーニングブレードである。４７は定着部であり、４８は定着ローラであり、４９は加圧ローラであり、５０は排紙ローラである。
【００１２】
次に、印刷エンジン部２の動作の概略について説明する。用紙カセット３２内に載置された用紙３１は、ホッピングローラ３３によって最上位の用紙から順に１枚ずつ給紙ローラ３４へと送られて装置内へ給紙される。用紙３１は転写ベルト３５上へ送られる。転写ベルト上にはＩＤユニット３８が矢印方向に、ブラック（Ｋ）、イエロー（Ｙ）、マゼンタ（Ｍ）、シアン（Ｃ）、の順に装置に対して着脱自在に配設されている。
【００１３】
各ＩＤユニット３８では、ネットワーク等に接続されたパーソナルコンピュータ（以後ＰＣと記す）等の上位装置から送られてくる画像データに基づいてトナー像が形成される。ＩＤユニット内に収納されているトナー４０は、供給ローラ４２によって現像ローラ４１上に供給される。現像ローラ４１上に供給されたトナー４０は、現像ローラ４１の表面に圧接している層厚規制ブレード４３によって所定の厚さに規制される。
【００１４】
感光体ドラム３９の表面は帯電ローラ４４によって所定の電位に帯電される。エンジンＩＦ部３（図１）を介して送られてくるページデータ１０−１（図１）に応じてＬＥＤアレイ４５のＬＥＤ素子が選択的に発光し、感光体ドラム３９の表面が露光され静電潜像が形成される。この静電潜像は現像ローラ４１上のトナー４０によって現像されトナー像になる。このトナー像は転写ベルト３５上を矢印方向に搬送されてくる用紙３１上に、転写ベルト３５とトナー像との間に発生する静電気等の電気的作用により転写される。
【００１５】
トナー像が転写された用紙３１は、さらに定着部４７へ搬送される。定着部４７には図示せぬ熱源を備えた定着ローラ４８と、定着ローラ４８に圧接しながら回転する加圧ローラ４９を備えており、搬送された用紙３１は、定着ローラ４８と加圧ローラ４９との間で加圧、加熱されることによって、用紙３１上のトナー像が溶融し、用紙上に定着される。トナー像が定着された用紙３１は、更に搬送されて排紙ローラ５０によって装置外へと排紙される。以上の印刷動作は、画像形成装置１００（図１）に接続されるＰＣ等の上位装置にインストールされているプリンタドライバによって操作可能であるが、操作パネル４（図１）からも行うことが出来る。
【００１６】
図１に戻って、エンジンＩＦ部３は、コントローラ基板１３と、印刷エンジン部２との間に配置され、両者間での、各種コマンド、印刷データ、各種センサの検出信号等の送受信を行うインタフェース部分である。
【００１７】
操作パネル４は、操作者と、画像形成装置１００とのマンマシンインタフェースの役割を果たす部分である。その内部にＬＣＤ（液晶表示装置）４−１、ＬＥＤ（発光装置）４−２、及び操作キー４−３とを有し、操作者が、自己の意志によって画像形成装置１００の動作を制御したり、又は、画像形成装置１００の動作状態を検知することを可能にする部分である。
パネルＩＦ部５は、コントローラ基板１３と、操作パネル４との間に配置され、両者間での入出力信号、各種センサの検出信号等の送受信を行うインタフェース部分である。
【００１８】
ジャム検出部６は、印刷エンジン部２の所定の場所（図示しない）に複数個配置されている用紙検出センサから受け入れる用紙検出信号の受信、あるいは所定時間内での用紙検出信号不受信等の情報から用紙ジャムの発生を検出し、更に、用紙ジャムの発生位置を判断する部分である。この部分は、上記、ＣＰＵ１１が、ＲＯＭ１０に予め格納されている所定の制御プログラムを実行することによって起動されるＣＰＵ１１の制御手段によって構成される。
【００１９】
ページデータ生成部７は、上位装置２０から受け入れた（画像データ及び各種コマンドを含む）印刷ジョブから印刷処理可能なページデータを生成し、ＲＡＭ１０に一時格納する部分である。この部分は、上記、ＣＰＵ１１が、ＲＯＭ１０に予め格納されている所定の制御プログラムを実行することによって起動されるＣＰＵ１１の制御手段によって構成される。
【００２０】
復旧モード決定部８は、画像形成装置１００内部の所定の位置（図示しない）に配設されている各種センサによる検出信号、及び、上位装置２０又は、操作パネル４からの指定信号等によって、現在進行中の印刷処理の、媒体種別、文書属性、その他の指示等の復旧モード決定条件を取得し、ジャムリカバリ制御情報１１−１に基づいてジャム解除後に於ける復旧モードを決定する部分である。この部分は、上記、ＣＰＵ１１が、ＲＯＭ１０に予め格納されている所定の制御プログラムを実行することによって起動されるＣＰＵ１１の制御手段によって構成される。
【００２１】
リカバリ実行部９は、復旧モード決定部８の決定に基づいてジャム解除後に於ける復旧処理を実行する部分である。ここで復旧処理の対象となるページは、コントローラ基板１３から印刷エンジン部２へ印刷コマンド及びページデータが既に送信されているが、未だ用紙排出通知が返信されていないページと、このページ以降の残存ページである。リカバリ実行部９は、上記、ＣＰＵ１１が、ＲＯＭ１０に予め格納されている所定の制御プログラムを実行することによって起動されるＣＰＵ１１の制御手段によって構成される。
【００２２】
ＲＡＭ１０は、ＣＰＵ１２が、ＲＯＭ１１に格納されている所定のプログラムを読み出して、演算処理を行うための演算領域となるランダムアクセスメモリである。この内部には、ページデータを一時格納するページデータ格納領域１０−１も設けられている。
【００２３】
ＲＯＭ１１は、ＣＰＵ１２が実行することによって、上記、ジャム検出部６、ページデータ生成部７、復旧モード決定部８、リカバリ実行部９を起動する制御プログラム、及び、画像形成装置１００の通常動作を制御する、図示してない各種制御プログラムが予め格納されているリードオンリメモリである。更に、本実施例では、特に、記録媒体のジャム解除後に於ける復旧モードの決定条件、即ち、ジャムリカバリ制御情報１１−１を格納する部分でもある。
【００２４】
ここで、ジャムリカバリ制御情報１１−１の一例について説明する。
図３は、ジャムリカバリ制御情報の内容説明図である。
図中、縦の列の左側から、１１−１−１は制御種別ＮＯを表し、１１−１−２は、普通紙、ＯＨＰ、等々、媒体種別を表し、１１−１−３は、標準文書、機密文書、等々、文書属性を表し、１１−１−４は、Ｍａｎｕａｌ  Ｄｕｐｌｅｘの裏面、及び、それ以外の場合、等々、その他情報を表す。これらの情報は、印刷エンジン部２の所定の位置に配設されている用紙センサや、プリンタドライバを介する操作者の指定などから取得される。
【００２５】
１１−１−５には、上記、１１−１−２による媒体種別、１１−１−３による文書属性、１１−１−４によるその他情報の組合せ（決定条件）から決定される媒体のジャム解除後の復旧モードが予め設定されている。この復旧モードは一例として、（Ａ）ジャム発生用紙のリカバリ印刷（再印刷）を行い、且つ、印刷ジョブの残存ページも印刷する、（Ｂ）ジャム発生用紙のリカバリ印刷（再印刷）を行わず、印刷ジョブの残存ページのみ印刷する、（Ｃ）ジャム発生用紙のリカバリ印刷（再印刷）を行わず、印刷ジョブの残存ページも印刷しないの３モードが設定されている。その詳細について説明する。
【００２６】
ＮＯ１の場合には、媒体種別が普通紙、文書属性が標準文書、その他情報が、Ｍａｎｕａｌ  Ｄｕｐｌｅｘの裏面、の組合せ（決定条件）である。この場合には、復旧モード（Ｂ）と決定される。その理由は、裏面印刷時に、ジャムリカバリを行うと、表・裏の対応がずれて印刷物としては使えない場合が発生しやすいので、残存ページのみ印刷させ、印刷後にジャムが発生した用紙のみ、表・裏の２ページを印刷すれば良いことになるからである。ここで、Ｍａｎｕａｌ  Ｄｕｐｌｅｘとは、片面（表面）のみ印刷し、その後、用紙を裏返して印刷する印刷形式である。
【００２７】
ＮＯ２の場合（最も多いパターン）には、媒体種別が普通紙、文書属性が標準文書、その他情報が、Ｍａｎｕａｌ  Ｄｕｐｌｅｘの裏面以外、の組合せ（決定条件）である。この場合には、復旧モード（Ａ）と決定される。その理由は、普通紙は安価であり、少し位の無駄になってもジャムリカバリを実行させることによって印刷効率を上げるべきだからである。
【００２８】
ＮＯ３の場合には、媒体種別が普通紙、文書属性が機密文書、その他情報が、Ｍａｎｕａｌ  Ｄｕｐｌｅｘの裏面、の組合せ（決定条件）である。この場合には、復旧モード（Ｃ）と決定される。その理由は、機密文書の場合には、印刷物が複数枚存在しないように留意すべきだからである。例えば、排出部付近で発生するジャム等の場合には印刷物として完成しており、悪意の操作者が用紙排出口を塞いで排出ジャムを発生させること等も可能であり、掛かる場合には、用紙にしわがよっている程度の機密文書が容易に複数枚印刷可能になるからである。
【００２９】
ＮＯ４の場合には、媒体種別が普通紙、文書属性が機密文書、その他情報が、Ｍａｎｕａｌ  Ｄｕｐｌｅｘの裏面以外、の組合せ（決定条件）である。この場合には、復旧モード（Ｃ）と決定される。その理由は、上記ＮＯ３の場合で説明したのと同一理由による。
【００３０】
ＮＯ５の場合には、媒体種別がＯＨＰ、文書属性が標準文書、その他情報が、Ｍａｎｕａｌ  Ｄｕｐｌｅｘの裏面、の組合せ（決定条件）である。この場合には、復旧モード（Ｃ）と決定される。その理由は、ＯＨＰは、媒体が高価なので、ジャムの発生原因を追及し、再度ジャムが発生しないようにしてから印刷を再開させるべきだからである。
【００３１】
ＮＯ６の場合には、媒体種別がＯＨＰ、文書属性が標準文書、その他情報が、Ｍａｎｕａｌ  Ｄｕｐｌｅｘの裏面以外、の組合せ（決定条件）である。この場合には、復旧モード（Ｃ）と決定される。その理由は、上記ＮＯ５の場合で説明したのと同一理由による。
【００３２】
ＮＯ７の場合には、媒体種別がＯＨＰ、文書属性が機密文書、その他情報が、Ｍａｎｕａｌ  Ｄｕｐｌｅｘの裏面、の組合せ（決定条件）である。この場合には、復旧モード（Ｃ）と決定される。その理由は、上記ＮＯ３の場合及び上記ＮＯ５で説明したのと同一理由による。
【００３３】
ＮＯ８の場合には、媒体種別がＯＨＰ、文書属性が機密文書、その他情報が、Ｍａｎｕａｌ  Ｄｕｐｌｅｘの裏面以外、の組合せ（決定条件）である。この場合には、復旧モード（Ｃ）と決定される。その理由は、上記ＮＯ３の場合及び上記ＮＯ５で説明したのと同一理由による。
【００３４】
図１に戻って、ＣＰＵ１２は、マイクロプロセッサであり、ＲＯＭ１１に予め格納されている所定のプログラムを実行することによって、上記、ジャム検出部６、復旧モード決定部８、ページデータ生成部７、リカバリ実行部９を起動する部分である。同時に、ＲＯＭ１１に予め格納されている所定のプログラムを実行することによって、画像形成装置１００の通常動作を制御する部分でもある。
【００３５】
次に実施例１の画像形成装置１００のジャム発生時に於ける動作についてフローチャートを用いて説明する。
図４は、実施例１のジャムリカバリフローチャートである。
図中のステップＳ１−１からステップＳ１−８まで、ステップ順に実施例１の画像形成装置１００のジャム発生時に於ける動作について説明する。
【００３６】
ステップＳ１−１
印刷エンジン部２（図１）が所定の記録媒体に所定の文書を印刷中にジャム検出部６（図１）が、印刷エンジン部２の所定の場所（図示しない）に複数個配置されている用紙検出センサから受け入れる用紙検出信号の受信、あるいは所定時間内での用紙検出信号不受信等の情報から用紙ジャムの発生を検出し、操作パネル４（図１）に表示して操作者に知らせる。或いは又、操作者が印刷エンジン部２（図１）の稼働状態から直接、用紙ジャムの発生を検出する。
【００３７】
ステップＳ１−２
ジャムの発生を認識した操作者が印刷エンジン部２（図１）の所定のカバーを開けてジャム媒体を除去し、上記カバーを閉じると、ジャム検出部６（図１）は、ジャムの解消を認識する。
【００３８】
ステップＳ１−３
復旧モード決定部８（図１）は、画像形成装置１００内部の所定の位置（図示しない）に配設されている各種センサによる検出信号、及び、上位装置２０（図１）又は、操作パネル４（図１）からの指定信号等によって、現在進行中の印刷処理の、媒体種別、文書属性、その他の指示等の復旧モード決定条件を取得し、更に、ＲＯＭ１１（図１）から、リカバリ制御情報（図１又は図３）を読み出して復旧モードの決定処理を開始する。
【００３９】
ステップＳ１−４
復旧モード決定部８（図１）が、復旧モードをＡ（図３）と決定した場合にはステップＳ１−５へ進み、それ以外の場合にはステップＳ１−６へ進む。
【００４０】
ステップＳ１−５
リカバリ実行部９（図１）は、復旧モード決定部８（図１）による復旧モードＡの決定に基づいて、ジャム発生用紙のリカバリ印刷（再印刷）を行い、且つ、印刷ジョブの残存ページも印刷した後フローを終了する。
【００４１】
ステップＳ１−６
復旧モード決定部８（図１）が、復旧モードをＢ（図３）と決定した場合にはステップＳ１−７へ進み、それ以外の場合にはステップＳ１−８へ進む。
【００４２】
ステップＳ１−７
リカバリ実行部９（図１）は、復旧モード決定部８（図１）による復旧モードＢの決定に基づいて、印刷ジョブの残存ページのみ印刷した後フローを終了する。
【００４３】
ステップＳ１−８
リカバリ実行部９（図１）は、復旧モード決定部８（図１）による復旧モードＣの決定に基づいて、ジャム発生用紙のリカバリ印刷（再印刷）、及び、印刷ジョブの残存ページとも印刷を実行せずにフローを終了する。
【００４４】
以上説明したように、本実施例による画像形成装置では、ジャムが検出されると、媒体種別が普通紙、文書属性が標準文書、その他情報が、Ｍａｎｕａｌ  Ｄｕｐｌｅｘの裏面以外、の組合せの場合には、普通紙は安価であり、表・裏対応の心配も無いので少し位の無駄が有ってもジャムリカバリを実行させることによって印刷効率を上げるべきなので復旧モード（Ａ）と決定され、媒体種別が普通紙、文書属性が標準文書、その他情報が、Ｍａｎｕａｌ  Ｄｕｐｌｅｘの裏面、の組合せの場合には、普通紙は安価ではあるが、表・裏対応の心配があるので残存ページのみ印刷実行させるため復旧モード（Ｂ）と決定され、文書属性が機密文書である場合には、印刷物が複数枚存在しないように留意すべきであるため復旧モード（Ｃ）と決定され、媒体種別がＯＨＰ等の高価な媒体の場合には、ジャムの発生原因を追及し、再度ジャムが発生しないようにしてから印刷を再開させるべきなので復旧モード（Ｃ）と決定される等、決定条件に応じてジャム解除後に於ける復旧モードが決定されるので、きめ細かな復旧処理が可能になり、機密保持に役立ち、更に、高価な記録媒体の無駄な消費を抑制出来るという効果を得る。
【実施例２】
【００４５】
実施例１では、ＲＯＭ１１（図１）に、記録媒体のジャム解除後に於ける復旧モードの決定条件と復旧モードとの関係、即ち、ジャムリカバリ制御情報１１−１（図１）が予め格納されている場合について説明した。本実施例では、ジャムリカバリ制御情報をＥＥＰ・ＲＯＭに格納することとし、更に、その内容を、操作者が、後から、追加、削除、変更可能にすることを目的とする。
【００４６】
図５は、実施例２の画像形成装置の構成ブロック図である。
図に示すように、実施例２の画像形成装置２００は、上位装置ＩＦ部１と、印刷エンジン部２と、エンジンＩＦ部３と、操作パネル２１と、パネルＩＦ部５と、ジャム検出部６と、ページデータ生成部７と、復旧モード決定部２２と、リカバリ実行部９と、ＲＡＭ１０と、ＲＯＭ２３と、ＥＥＰ・ＲＯＭ２４と、ジャムリカバリ制御情報受付格納部２５と、ＣＰＵ２６とを備える。
【００４７】
以下に、実施例１との相違部分のみについて説明する。実施例１と同一の部分には、実施例１と同一の符合を付して説明を省略する。
操作パネル２１は、操作者と、画像形成装置２００とのマンマシンインタフェースの役割を果たす部分である。その内部にＬＣＤ（液晶表示装置）２１−１、ＬＥＤ（発光装置）２１−２、及び、操作キー２１−３を有し、操作者が、自己の意志によって画像形成装置２００の動作を制御したり、又は、画像形成装置２００の動作状態を検知することを可能にする部分である。更に、本実施例では操作者が、ジャムリカバリ制御情報２４−１の内容を後から、追加、削除、変更するために情報入力する部分でもある。
【００４８】
復旧モード決定部２２は、画像形成装置２００内部の所定の位置（図示しない）に配設されている各種センサによる検出信号、及び、上位装置２０又は、操作パネル２１からの指定信号等によって、現在進行中の印刷処理の、媒体種別、文書属性、その他の指示、等の復旧モード決定条件を取得し、ジャムリカバリ制御情報２４−１に基づいてジャム解除後に於ける復旧モードを決定する部分である。この部分は、上記、ＣＰＵ２５が、ＲＯＭ２３に予め格納されている所定の制御プログラムを実行することによって起動されるＣＰＵ２５の制御手段によって構成される。
【００４９】
ＲＯＭ２３は、ＣＰＵ２５が実行することによって、上記、ジャム検出部６、ページデータ生成部７、復旧モード決定部２２、リカバリ実行部９、ジャムリカバリ制御情報受付格納部２５を起動する制御プログラム、及び、画像形成装置２００の通常動作を制御する、図示してない各種制御プログラムが予め格納されているリードオンリメモリである。又、本実施例では、特に、上記実施例１のＲＯＭ１１（図１）と異なり、記録媒体のジャム解除後に於ける復旧モードの決定条件、即ち、ジャムリカバリ制御情報２４−１を格納していない。
【００５０】
ＥＥＰ・ＲＯＭ２４は、記録媒体のジャム解除後に於ける復旧モードの決定条件、即ち、ジャムリカバリ制御情報２４−１を予め格納し、或いは又、後に、追加、削除、変更した内容を格納する部分である。通常は、フラッシュメモリなどのように電気的に消去可能なＲＯＭが用いられる。
【００５１】
ジャムリカバリ制御情報受付格納部２５は、操作者から、操作パネル２１及びパネルＩＦ部５を介してジャムリカバリ制御情報の追加、削除、変更の要求内容を受け入れて、ＥＥＰ・ＲＯＭ２４のジャムリカバリ制御情報２４−１の内容を追加、削除、変更する部分である。この部分は、ＣＰＵ２６が、ＲＯＭ２３に予め格納されている所定の制御プログラムを実行することによって起動されるＣＰＵ２６の制御手段によって構成される。
【００５２】
ＣＰＵ２６は、マイクロプロセッサであり、ＲＯＭ２３に予め格納されている所定のプログラムを実行することによって、上記、ジャム検出部６、ページデータ生成部７、復旧モード決定部２２、リカバリ実行部９、ジャムリカバリ制御情報受付格納部２５を起動する部分である。又、ＲＯＭ２３に予め格納されている所定のプログラムを実行することによって画像形成装置２００の通常動作を制御する部分でもある。
【００５３】
次に実施例２の画像形成装置２００のジャム発生時に於ける動作についてフローチャートを用いて説明する。最初にジャムリカバリ制御情報の設定時に於ける動作について説明し、続いてジャムリカバリの動作について説明する。
図６は、実施例２のジャムリカバリ制御情報設定のフローチャートである。
図中のステップＳ２−１からステップＳ２−２まで、ステップ順に実施例２の画像形成装置２００のジャムリカバリ制御情報の設定時に於ける動作について説明する。
【００５４】
ステップＳ２−１
ジャムリカバリ制御情報受付格納部２５（図５）は、操作者から、操作パネル２１（図５）及びパネルＩＦ部５（図５）を介してジャムリカバリ制御情報の追加、削除、変更の要求内容を受け入れる。
【００５５】
ステップＳ２−２
ジャムリカバリ制御情報受付格納部２５（図５）は、操作者から受け入れた、ジャムリカバリ制御情報の追加、削除、変更の内容をジャムリカバリ制御情報２４−１に（図５）に格納してフローを終了する。
【００５６】
続いて、実施例２の画像形成装置２００のジャム発生時に於ける動作についてフローチャートを用いて説明する。
図７は、実施例２のジャムリカバリフローチャートである。
図中のステップＳ２−３からステップＳ２−１０まで、ステップ順に実施例２の画像形成装置２００のジャム発生時に於ける動作について説明する。
【００５７】
ステップＳ２−３
印刷エンジン部２（図５）が所定の記録媒体に、所定の文書を印刷中に、ジャム検出部６が（図５）が、印刷エンジン部２の所定の場所（図示しない）に複数個配置されている用紙検出センサから受け入れる用紙検出信号の受信、あるいは所定時間内での用紙検出信号不受信等の情報から用紙ジャムの発生を検出し、操作パネル４（図５）に表示して操作者に知らせる。或いは又、操作者が印刷エンジン部２（図５）の稼働状態から直接、用紙ジャムの発生を検出する。
【００５８】
ステップＳ２−４
ジャムの発生を認識した操作者が印刷エンジン部２（図５）の所定のカバーを開けてジャム媒体を除去し、上記カバーを閉じると、ジャム検出部６（図５）は、ジャムの解消を認識する。
【００５９】
ステップＳ２−５
復旧モード決定部２２（図５）は、画像形成装置２００内部の所定の位置（図示しない）に配設されている各種センサによる検出信号、及び、上位装置２０（図５）又は、操作パネル２１（図５）からの指定信号等によって、現在進行中の印刷処理の、媒体種別、文書属性、その他の指示等の復旧モード決定条件を取得し、更に、ＲＯＭ１１（図１）から、リカバリ制御情報（図１又は図３）を読み出して復旧モードの決定処理を開始する。
【００６０】
ステップＳ２−６
復旧モード決定部２２（図５）が、復旧モードをＡ（図３）と決定した場合にはステップＳ２−７へ進み、それ以外の場合にはステップＳ２−８へ進む。
【００６１】
ステップＳ２−７
リカバリ実行部９（図５）は、復旧モード決定部２２（図５）による復旧モードＡの決定に基づいて、ジャム発生用紙のリカバリ印刷（再印刷）を行い、且つ、印刷ジョブの残存ページも印刷した後フローを終了する。
【００６２】
ステップＳ２−８
復旧モード決定部２２（図５）が、復旧モードをＢ（図３）と決定した場合にはステップＳ２−９へ進み、それ以外の場合にはステップＳ２−１０へ進む。
【００６３】
ステップＳ２−９
リカバリ実行部９（図５）は、復旧モード決定部２２（図１）による復旧モードＢの決定に基づいて、印刷ジョブの残存ページのみ印刷した後フローを終了する。
【００６４】
ステップＳ２−１０
リカバリ実行部９（図５）は、復旧モード決定部２２（図５）による復旧モードＣの決定に基づいて、ジャム発生用紙のリカバリ印刷（再印刷）、及び、印刷ジョブの残存ページとも印刷を実行せずにフローを終了する。
【００６５】
以上説明したように、本実施例によれば、実施例１の効果に加えて、操作者がリカバリ制御情報（図３又は図５）の内容を、追加、削除、変更出来るので、より一層きめ細かな復旧処理が可能になると言う効果を得る。例えば、転写ベルト３５（図２）の耐用期限が迫っている場合、又は、トナー４０（図２）の残量が少なくなっている場合等にはジャムが発生しても上記（Ｃ）に設定することによって、不測の事態を回避出来るという効果を得る。
【実施例３】
【００６６】
本実施例では、ジャムの発生位置を操作パネル等を介して操作者に認識させることとする。こうすることによって、操作者がジャムが発生した位置を認識し、繰り返しジャムが発生することが予想される位置の場合には復旧モード（Ｃ）に設定する等、より一層きめ細かな処理を可能にすることを目的とする。
【００６７】
図８は、実施例３の画像形成装置の構成ブロック図である。
図に示すように、実施例３の画像形成装置３００は、上位装置ＩＦ部１と、印刷エンジン部２と、エンジンＩＦ部３と、操作パネル５１と、パネルＩＦ部５と、ジャム検出部６と、ページデータ生成部７と、復旧モード決定部５３と、リカバリ実行部９と、ＲＡＭ５４と、ＲＯＭ５５と、ＥＥＰ・ＲＯＭ２４と、ジャムリカバリ制御情報受付格納部２５と、ジャム用紙位置情報表示部５２と、ＣＰＵ５６とを備える。
【００６８】
以下に、実施例２との相違部分のみについて説明する。実施例２と同一の部分には、実施例２と同一の符合を付して説明を省略する。
操作パネル５１は、操作者と、画像形成装置３００とのマンマシンインタフェースの役割を果たす部分である。その内部にＬＣＤ（液晶表示装置）５１−１、ＬＥＤ（発光装置）５１−２、及び、操作キー５１−３を有し、操作者が、自己の意志によって画像形成装置２００の動作を制御したり、画像形成装置３００の動作状態を検知することを可能にしたり、又は、操作者がジャムリカバリ制御情報２４−１の内容を後から、追加、削除、変更するために情報入力する部分である。更に、本実施例では、ジャム発生位置を操作者に表示し、その対応を求める部分でもある。その表示内容について説明する。
【００６９】
図９は、操作パネルの表示例説明図である。
（ａ）及び（ｂ）が、操作パネル５１に交互に表示される。（ａ）は、ジャムの発生位置を表す表示であり、この表示からは、排出口近傍でジャムが発生していることが分かる。（ｂ）は、対応入力を操作者に求める表示であり、操作者は、（ａ）に表示されているジャムの発生位置に基づいて対応するモードを選択することになる。ここでは、ジャムの発生位置が排出口近傍なので、繰り返して発生する確率は低いと判断して、[Ａ]を選択している。
【００７０】
ジャム用紙位置情報表示部５２は、ジャム検出部６が検出した用紙ジャムの発生位置を受け入れて、操作パネル５１に図９の（ａ）及び（ｂ）の画像を交互に表示させる部分である。この部分は、ＣＰＵ３５が、ＲＯＭ２３に予め格納されている所定の制御プログラムを実行することによって起動されるＣＰＵ３５の制御手段によって構成される。
【００７１】
復旧モード決定部５３は、画像形成装置３００内部の所定の位置（図示しない）に配設されている各種センサによる検出信号、及び、上位装置２０又は、操作パネル５１からの指定信号等によって、現在進行中の印刷処理の、媒体種別、文書属性、その他の指示、等の復旧モード決定条件を取得し、ジャムリカバリ制御情報２４−１に基づいてジャム解除後に於ける復旧モードを決定する部分である。更に、本実施例では、ジャム用紙位置情報表示部５２によって操作パネル５１に表示された図９の（ａ）及び（ｂ）の画像に対応して、所定の時間内に操作者が、復旧モードを指定した場合には、その操作者によって指定されたモードを復旧モードとして決定する部分である。この部分は、ＣＰＵ５６が、ＲＯＭ５５に予め格納されている所定の制御プログラムを実行することによって起動されるＣＰＵ５６の制御手段によって構成される。
【００７２】
ＲＡＭ５４は、ＣＰＵ５６が、ＲＯＭ５５に格納されている所定のプログラムを読み出して、演算処理を行うための演算領域となるランダムアクセスメモリである。又、この内部には、ページデータを一時格納するページデータ格納領域５４−１と、ジャム検出部６が検出した用紙ジャムの発生位置を格納するジャム用紙位置情報格納領域５４−２とが設けられている。
【００７３】
ＲＯＭ５５は、ＣＰＵ５６が実行することによって、上記、ジャム検出部６、ページデータ生成部７、復旧モード決定部５３、リカバリ実行部９、ジャムリカバリ制御情報受付格納部２５、ジャム用紙位置情報表示部５２とを起動する制御プログラム、及び、画像形成装置３００の通常動作を制御する、図示してない各種制御プログラムが予め格納されているリードオンリメモリである。
【００７４】
ＣＰＵ５６は、マイクロプロセッサであり、ＲＯＭ５５に予め格納されている所定のプログラムを実行することによって、上記、ジャム検出部６、ページデータ生成部７、復旧モード決定部５３、リカバリ実行部９、ジャムリカバリ制御情報受付格納部２５、ジャム用紙位置情報表示部５２とを起動する部分である。又、ＲＯＭ５５に予め格納されている所定のプログラムを実行することによって画像形成装置３００の通常動作を制御する部分でもある。
【００７５】
次に実施例３の画像形成装置３００のジャム発生時に於ける動作についてフローチャートを用いて説明する。
図１０は、実施例３のジャムリカバリフローチャートである。
図中のステップＳ３−１からステップＳ３−９まで、ステップ順に実施例３の画像形成装置３００のジャム発生時に於ける動作について説明する。
【００７６】
ステップＳ３−１
印刷エンジン部２（図８）が所定の記録媒体に所定の文書を印刷中にジャム検出部６（７１）が、印刷エンジン部２の所定の場所（図示しない）に複数個配置されている用紙検出センサから受け入れる用紙検出信号の受信、あるいは所定時間内での用紙検出信号不受信等の情報から用紙ジャムの発生を検出し、操作パネル５１（図８）に表示して操作者に知らせる。或いは又、操作者が印刷エンジン部２（図８）の稼働状態から直接、用紙ジャムの発生を検出する。
【００７７】
ステップＳ３−２
ジャムの発生を認識した操作者が印刷エンジン部２（図８）の所定のカバーを開けてジャム媒体を除去し、上記カバーを閉じると、ジャム検出部６（図８）は、ジャムの解消を認識する。
【００７８】
ステップＳ３−３
ジャム用紙位置情報表示部５２は、ジャム検出部６が検出した用紙ジャムの発生位置を受け入れて、操作パネル５１に図９の（ａ）及び（ｂ）の画像を交互に表示させる。
【００７９】
ステップＳ３−４
復旧モード決定部５３（図１）は、所定の時間内に操作者が図９の（ｂ）に対応して復旧モードの選択を行わなかった場合には、実施例２のステップＳ２−５へ跳んで、以下実施例２と同様のフローを辿る。一方、操作者が復旧モードの選択を行った場合には、ステップＳ３−５へ進む。
【００８０】
ステップＳ３−５
操作者が、復旧モードＡ（図３）を選択した場合には、復旧モード決定部５３（図８）は復旧モードをＡ（図３）と決定してステップＳ３−６へ進み、それ以外の場合にはステップＳ３−７へ進む。
【００８１】
ステップＳ３−６
リカバリ実行部９（図８）は、復旧モード決定部５３（図８）による復旧モードＡの決定に基づいて、ジャム発生用紙のリカバリ印刷（再印刷）を行い、且つ、印刷ジョブの残存ページも印刷した後フローを終了する。
【００８２】
ステップＳ３−７
操作者が、復旧モードＢ（図３）を選択した場合には、復旧モード決定部８（図８）は、復旧モードをＢ（図３）と決定してステップＳ３−８へ進み、それ以外の場合には復旧モードをＣ（図３）と決定してステップＳ３−９へ進む。
【００８３】
ステップＳ３−８
リカバリ実行部９（図８）は、復旧モード決定部８（図８）による復旧モードＢの決定に基づいて、印刷ジョブの残存ページのみ印刷した後フローを終了する。
【００８４】
ステップＳ３−９
リカバリ実行部９（図８）は、復旧モード決定部８（図８）による復旧モードＣの決定に基づいて、ジャム発生用紙のリカバリ印刷（再印刷）、及び、印刷ジョブの残存ページとも印刷を実行せずにフローを終了する。
【００８５】
以上の説明では、ステップＳ３−４に於いて、所定の時間内に操作者による復旧モードの選択が無かった場合には、実施例２のステップＳ２−５へ進むこととしているが、本発明は、この例に限定されるものではない。即ち、所定の時間内に操作者による復旧モードの選択が無かった場合には、実施例１のステップＳ１−３へ進むこととしてもよい。
【００８６】
以上説明したように、ジャムの位置を操作パネル等を介して操作者に認識させることによって、操作者がジャムが発生した位置を認識し、繰り返しジャムが発生することが予想される位置の場合には復旧モード（Ｃ）に決定したり、或いは又、操作者がジャムが発生した位置を認識することによって、たまたまジャムが発生したと想定される場合には、復旧モード（Ａ）に決定する等、より一層きめ細かな処理が可能になるという効果を得る。
【産業上の利用可能性】
【００８７】
以上の説明では、本発明をカラーの電子写真プリンタに適用した場合に付いて説明したが、本発明は、この例に限定されるものではない。即ち、ファクシミリ装置や、複写機などにも適用可能である。
【図面の簡単な説明】
【００８８】
【図１】実施例１の画像形成装置の構成ブロック図である。
【図２】印刷エンジン部の概略説明図である。
【図３】ジャムリカバリ制御情報の内容説明図である。
【図４】実施例１のジャムリカバリフローチャートである。
【図５】実施例２の画像形成装置の構成ブロック図である。
【図６】実施例２のジャムリカバリ制御情報設定のフローチャートである。
【図７】実施例２のジャムリカバリフローチャートである。
【図８】実施例３の画像形成装置の構成ブロック図である。
【図９】操作パネルの表示例説明図である。
【図１０】実施例３のジャムリカバリフローチャートである。
【符号の説明】
【００８９】
１    上位装置ＩＦ部
２    印刷エンジン部
３    エンジンＩＦ部
４    操作パネル
４−１    ＬＣＤ
４−２    ＬＥＤ
４−３    操作キー
５    パネルＩＦ部
６    ジャム検出部
７    ページデータ生成部
８    復旧モード決定部
９    リカバリ実行部
１０    ＲＡＭ
１０−１    ページデータ格納領域
１１    ＲＯＭ
１１−１    ジャムリカバリ制御情報
１２    ＣＰＵ
１３    コントローラ基板
２０    上位装置
１００    画像形成装置
【図１】
2006208739.tif 000003
【図２】
2006208739.tif 000004
【図３】
2006208739.tif 000005
【図４】
2006208739.tif 000006
【図５】
2006208739.tif 000007
【図６】
2006208739.tif 000008
【図７】
2006208739.tif 000009
【図８】
2006208739.tif 000010
【図９】
2006208739.tif 000011
【図１０】
2006208739.tif 000012